(57)【要約】【課題】キャビネットの天板の下方に生ごみ処理機を組み込みつつ、物品収納スペースを大きく確保できるようにした、キッチンユニットを提供する。【解決手段】キャビネットＣの天板２の下方でシンク５に隣接して当該シンク５の底部５Ａよりも高い位置に臨む生ごみ処理機１７を設け、この生ごみ処理機１７の下側に物品収納用の引き出し１９を設けた。【選択図】　　　図１
2004121345.tif 000002
【特許請求の範囲】
【請求項１】
キャビネットの天板の下方でシンクに隣接して当該シンクの底部よりも高い位置に生ごみ処理機の上端を臨ませて当該生ごみ処理機を配置し、この生ごみ処理機の下側に物品収納用の引き出しを設けたことを特徴とするキッチンユニット。
【請求項２】
キャビネットのシンクに隣接して当該キャビネットの天板に生ごみ処理機への投入口を設け、
この投入口に連なる生ごみ処理機の上端をキャビネットの天板の下方でシンクに隣接して当該シンクの底部よりも高い位置に臨ませ、
この生ごみ処理機の下側に物品収納用の引き出しを設けたことを特徴とするキッチンユニット。
【請求項３】
生ごみ処理機の下側の引き出しと高さを揃えて横並びにシンクの下側に物品収納用の引き出しを設けたことを特徴とする請求項１又は２記載のキッチンユニット。
【発明の詳細な説明】
【０００１】
【発明の属する技術分野】
本発明は、キャビネットの天板の下方に生ごみ処理機を組み込んだキッチンユニットに関する。
【０００２】
【従来の技術】
一般に、キャビネットの天板の下方に生ごみ処理機を組み込み、天板に設けた投入口から生ごみ処理機に生ごみを投入可能に構成したキッチンユニットが知られている（特許文献１参照）。
【０００３】
【特許文献１】
特開平１１−１３７３５２号公報
【０００４】
【発明が解決しようとする課題】
この種のキッチンユニットでは、キャビネットのシンクのほぼ真下に生ごみ処理機が組み込まれているため、シンクの真下のスペースを有効利用することができない。これを解消するため、生ごみ処理機を別のスペースに設置した場合、そのスペースを有効利用できなくなる。
【０００５】
要するに、従来では、キャビネットの天板の下方に生ごみ処理機を組み込みつつ、物品収納スペースを大きく確保できるようにした、キッチンユニットが提案されていない。
【０００６】
そこで、本発明の目的は、キャビネットの天板の下方に生ごみ処理機を組み込みつつ、物品収納スペースを大きく確保できるようにした、キッチンユニットを提供することにある。
【０００７】
【課題を解決するための手段】
請求項１記載の発明は、キャビネットの天板の下方でシンクに隣接して当該シンクの底部よりも高い位置に生ごみ処理機の上端を臨ませて当該生ごみ処理機を配置し、この生ごみ処理機の下側に物品収納用の引き出しを設けたことを特徴とする。
【０００８】
また、請求項２記載の発明は、キャビネットのシンクに隣接して当該キャビネットの天板に生ごみ処理機への投入口を設け、この投入口に連なる生ごみ処理機の上端をキャビネットの天板の下方でシンクに隣接して当該シンクの底部よりも高い位置に臨ませ、この生ごみ処理機の下側に物品収納用の引き出しを設けたことを特徴とする。
【０００９】
請求項３記載の発明は、請求項１又は２記載のものにおいて、生ごみ処理機の下側の引き出しと高さを揃えて横並びにシンクの下側に物品収納用の引き出しを設けたことを特徴とする。
【００１０】
【発明の実施の形態】
以下、本発明の一実施形態を添付した図面に基づいて説明する。
【００１１】
図１及び図２において、本キッチンユニットは、レンジキャビネットＡと、調理キャビネットＢと、シンクキャビネットＣとを並設し、これらの並設したキャビネットの上面に一枚板のステンレス製のトップカウンター（天板）２を取付けて構成されている。
【００１２】
レンジキャビネットＡは、上面に加熱調理用のバーナ部１を有し、このバーナ部１の下方にはグリル６が設置されている。グリル６の下方には、引き出し８が設けられ、この引き出し８の内側には種々の調理道具を収納可能な収納部が設けられている。
【００１３】
調理キャビネットＢは、その上面が調理台として調理作業に利用される。この調理台の下方には引き出し９が設けられ、この引き出し９の内側には種々の調理道具が収納されている。
【００１４】
シンクキャビネットＣは、その上面にシンク５が形成されており、このシンク５の下方には、上下２段の引き出し１１が設けられ、種々の調理道具等が収納されている。１３は水栓である。引き出し１１にはそれぞれ収納部１１Ａが設けられ、上段の引き出し１１の収納部１１Ａには、シンク５の排水部５Ａを避ける凹み１１Ｂが形成されている。
【００１５】
本実施形態では、シンクキャビネットＣのシンク５に隣接して、当該キャビネットのトップカウンター２に生ごみの投入口１５が形成され、この投入口１５に連なる生ごみ処理機１７が、トップカウンター２の下方でシンク５に隣接して配置されている。
【００１６】
生ごみ処理機１７は、図３に示すように、仕切板１８の上に載置され、当該生ごみ処理機１７の上部は、図１に示すように、シンク５の底部５Ａよりも高い位置に臨むように突出し、その分だけ、生ごみ処理機１７の下側には広いスペースが確保され、このスペースを有効利用して、図３に示すように、物品収納用の引き出し１９が設けられている。
【００１７】
この引き出し１９には収納部１９Ａが設けられ、この収納部１９Ａは蹴込み部分に亘って延在している。
【００１８】
この引き出し１９と、シンク５の下に位置する下段の引き出し１１とは、高さを揃えて横並びに配置され、さらに、これら引き出し１１，１９と、レンジキャビネットＡ、及び調理キャビネットＢの各引き出し８，９とも、高さを揃えて横並びに配置され、これによって、見栄えが向上している。２１は扉である。また、この生ごみ処理機１７には排気筒２２が接続され、排気筒２２は壁を貫通して建屋外に突出している。
【００１９】
生ごみ処理機１７の入口１７Ａとトップカウンター２の投入口１５とは連結具２３を介して連結されている。市販の生ごみ処理機１７を使用した場合、その入口１７Ａの口径は決まっている。これに対し、トップカウンター２の投入口１５は大きければ大きいほど、生ごみの投入が容易なため、可能な限り大きく形成することが望ましい。従って、この連結具２３は、トップカウンター２の投入口１５側が広い先細り状に形成される。
【００２０】
この連結具２３は、図４に示すように、生ごみ処理機１７の入口１７Ａとトップカウンター２の投入口１５とをつなぐ本体２３Ａと、この本体２３Ａの内側に嵌まる略相似形のインナー２３Ｂと、上蓋２３Ｃとからなり、清掃時にはインナー２３Ｂと上蓋２３Ｃを取り外すことができるため、各パーツ２３Ｂ、２３Ｃを簡単に水洗いできる。
【００２１】
本実施形態では、シンク５の真下ではなく、シンク５を避けた位置で、しかもシンク５に隣接させて、その底部５Ａよりも高い位置に臨むように突出させて、生ごみ処理機１７を配置したため、その分だけ、生ごみ処理機１７の下側に広いスペースが確保された。従って、このスペースに、物品収納用の引き出し１９を設けることができ、この引き出し１９は蹴込み部分に亘って延在するため、大きな物品収納量が確保される。
【００２２】
また、上記構成では、シンク５の真下に生ごみ処理機１７が位置しないため、このスペースが広くなり、このスペースに、上下２段の引き出し１１を設けたため、さらに収納量が増大し、上段の引き出し１１の収納部１１Ａには、シンク５の排水部５Ａを避ける凹み１１Ｂを形成したため、上段のスペースをも有効利用することができる。
【００２３】
以上、一実施形態に基づいて本発明を説明したが、本発明は、これに限定されるものではない。
【００２４】
図１では、生ごみ処理機１７をシンク５の右側に位置させているが、これに限定されるものではなく、生ごみ処理機１７をシンク５の左側に位置させてもよいことは明らかである。
【００２５】
【発明の効果】
請求項１乃至３記載の発明では、キャビネットの天板の下方に生ごみ処理機を組み込みつつ、物品収納スペースを大きく確保できた。
【図面の簡単な説明】
【図１】本発明によるキッチンユニットの全体正面図である。
【図２】同じく平面図である。
【図３】同じく断面図である。
【図４】連結具の分解斜視図である。
【符号の説明】
２　トップカウンター（天板）
５　シンク
１１　引き出し
１１Ａ　収納部
１１Ｂ　凹み
１５　投入口
１７　生ごみ処理機
１９　引き出し
１９Ａ　収納部
２３　連結具
Ａ　レンジキャビネット
Ｂ　調理キャビネット
Ｃ　シンクキャビネット
【図１】
2004121345.tif 000003
【図２】
2004121345.tif 000004
【図３】
2004121345.tif 000005
【図４】
2004121345.tif 000006